(57)【要約】【課題】  土壌汚染が発生しない太陽光発電装置用架台の基礎に用いるねじ込み式基礎杭を提供する。【解決手段】  本発明のねじ込み式基礎杭の一つは、太陽光発電設備の構造物を地中に固定する基礎杭であって、基礎杭が地中にねじ込まれる埋設部と、太陽光パネル又はパネル架台を取付け可能な取付け部を備え、前記埋設部と取付け部は金属製であり、前記埋設部はその外周面に地中へねじ込む金属製の螺旋翼を備え、前記埋設部がその螺旋翼の外から樹脂で被覆されたものである。本発明のねじ込み式基礎杭の他の一つは、基礎杭が地中にねじ込まれる樹脂製の埋設部と、太陽光パネル又はパネル架台を取付け可能な金属製の取付け部を備え、前記埋設部はその外周面に地中へねじ込む樹脂製の螺旋翼を備えたものであり、前記螺旋翼付き埋設部と金属製の取付け部が連結固定されたものである。【選択図】    図１
2015059341.tif 000002
【特許請求の範囲】
【請求項１】
太陽光発電設備の構造物を地中に固定する基礎杭であって、
基礎杭が地中にねじ込まれる埋設部と、太陽光パネル又パネル架台を取付け可能な取付け部を備え、
前記埋設部と取付け部は金属製であり、
前記埋設部はその外周面に地中へねじ込む金属製の螺旋翼を備え、
前記埋設部がその螺旋翼の外から樹脂で被覆されたものである、
ことを特徴とするねじ込み式基礎杭。
【請求項２】
太陽光発電設備の構造物を地中に固定する基礎杭であって、
基礎杭が地中にねじ込まれる樹脂製の埋設部と、太陽光パネル又はパネル架台を取付け可能な金属製の取付け部を備え、
前記埋設部はその外周面に地中へねじ込む樹脂製の螺旋翼を備えたものであり、
前記螺旋翼付き埋設部と金属製の取付け部が連結固定されたものである、
ことを特徴とするねじ込み式基礎杭。
【発明の詳細な説明】
【技術分野】
【０００１】
本発明は、地中にねじ込んで使用するねじ込み式（スクリュー式）の基礎杭に関し、特に、太陽光発電パネル（太陽光パネル）の設置に用いる架台の基礎として使用するのに適するねじ込み式基礎杭に関するものである。
【背景技術】
【０００２】
東日本大震災に伴う福島原子力発電所の事故以降、太陽光発電をはじめとする再生可能エネルギー（自然エネルギー、クリーンエネルギー）が注目を集めている。従来、太陽光発電に用いる太陽光パネルは屋根の上に取り付けるのが主流であった。しかし、再生可能エネルギー源（太陽光、風力、水力、地熱、バイオマス）を用いて発電された電気を、国が定める固定価格で一定の期間電気事業者に調達を義務づける「固定買取制度」の創設を契機として、地上（例えば、遊休農地や山林、ゴルフ場跡地など）に設置する野立て式の太陽光発電設備も普及し始めている。太陽光発電設備の地上への設置には架台が用いられ、その架台は地中に埋設するねじ込み式基礎杭によって支持される（例えば、特許文献１並びに非特許文献１及び２）。
【先行技術文献】
【特許文献】
【０００３】
【特許文献１】特許第５２３２３３６号公報
【非特許文献】
【０００４】
【非特許文献１】http://sunsunmate.jimdo.com/（西濃建設株式会社ＨＰ「太陽光発電システム基礎  クリナー(KRINNER)グランドスクリュー」）
【非特許文献２】http://www.sanei-net.co.jp/ground#screw/（株式会社三英ＨＰ「グランドスクリュー」）
【発明の概要】
【発明が解決しようとする課題】
【０００５】
従来のねじ込み式基礎杭は金属製であり、土中に埋設されると金属腐食が生じて強度不足になることがあるため、基礎杭の表面には腐食防止のために亜鉛メッキで被覆されているが、その亜鉛メッキは、地面への差し込み前に部分的に剥がれていたり、差込み前に剥がれていなくても差し込み時に剥がれたりすることがある。これにより、有害物質である亜鉛が土壌に溶出し、深刻な土壌汚染が生じている。
【０００６】
本発明の目的は、土壌汚染の発生しないねじ込み式基礎杭を提供することにある。
【課題を解決するための手段】
【０００７】
本発明のねじ込み式基礎杭は、太陽光発電設備の構造物を地中に固定する基礎杭であって、基礎杭が、地中にねじ込まれる埋設部と、太陽光パネル又はパネル架台を取付け可能な取付け部とを備え、前記埋設部と取付け部は金属製であり、前記埋設部はその外周面に地中へねじ込む金属製の螺旋翼を備え、前記埋設部がその螺旋翼の外から樹脂で被覆されたものである。
【０００８】
本発明のねじ込み式基礎杭は、太陽光発電設備の構造物を地中に固定する基礎杭であって、基礎杭が、地中にねじ込まれる樹脂製の埋設部と、太陽光パネル又はパネル架台を取付け可能な金属製の取付け部とを備え、前記埋設部をその外周面に地中へねじ込む樹脂製の螺旋翼を備えたものとし、前記螺旋翼付き埋設部と金属製の取付け部が連結固定されたものであってもよい。
【０００９】
本発明のねじ込み式基礎杭は、樹脂層の樹脂又は樹脂製の埋設部は、土壌汚染に無害な塩化ビニール、ポリエチレン、ポリカーボネート、ＦＲＰ、その他の合成樹脂製とすることができる。
【発明の効果】
【００１０】
本発明のねじ込み式基礎杭には、次のような効果がある。
（１）螺旋翼を備えた金属製の埋設部の外周面が、螺旋翼の外から樹脂層で被覆されており、亜鉛メッキが施されていないので、亜鉛の溶出による土壌汚染が発生しない。
（２）土壌汚染の問題が生じないので、再生可能エネルギーとして注目される太陽光発電設備の普及の一助となる。
（３）土壌汚染の心配がないので、太陽光発電設備を撤去後の跡地を、別用途（例えば、農地）に利用しても障害がない。
（４）埋設部に亜鉛メッキを施す必要がないため、メッキ設備もメッキをする手間もメッキ材料も不要であり、それらに必要なコストを削減できる。また、メッキ廃液の排出による公害の問題もない。
【図面の簡単な説明】
【００１１】
【図１】本発明のねじ込み式基礎杭の使用例を示す側面図。
【図２】本発明のねじ込み式基礎杭を、バックホーで地中にねじ込む場合の説明図。
【図３】本発明のねじ込み式基礎杭を、クレーンで地中にねじ込む場合の説明図。
【図４】本発明のねじ込み式基礎杭の一例を示すもので、（ａ）は基礎杭本体の埋設部の全長に螺旋翼が設けられた場合の説明図、（ｂ）は基礎杭本体の埋設部の下端にのみ螺旋翼が設けられた場合の説明図。
【図５】本発明のねじ込み式基礎杭の樹脂被覆の説明図。
【図６】本発明のねじ込み式基礎杭の一例を示すもので、（ａ）は基礎杭本体の上部に円形のフランジが設けられた場合の説明図、（ｂ）は基礎杭本体の上部に四角形のフランジが設けられた場合の説明図、（ｃ）は基礎杭の取付け部と埋設部を別成型した場合の説明図。
【発明を実施するための形態】
【００１２】
（実施形態１）
本発明のねじ込み式基礎杭（以下、単に「基礎杭」という）１の一例を、図面を参照して説明する。本発明の基礎杭１は、図１に示すように、取付け部７ａが地上に突出するように、埋設部７ｂが地中Ｅに埋設されて使用される。前記取付け部７ａには、太陽光発電装置用のパネル架台２が設けられ、そのパネル架台２に太陽光パネル３が設置固定されている。基礎杭１は回転式のねじ込み装置４が装備されたバックホー５（図２）やクレーン６（図３）によって、地中Ｅにねじ込むことができる。
【００１３】
一例として図４（ａ）に示す基礎杭１は、下端が先鋭である基礎杭本体７の外周に、螺旋状の螺旋翼８が設けられている。基礎杭本体７の上部は図１のようにパネル架台２を取り付けるための取付け部７ａであり、下部が地中Ｅに埋設される埋設部７ｂである。螺旋翼８は埋設部７ｂの外周に設けられている。螺旋翼８の螺旋ピッチは任意に設計することができる。螺旋翼８は埋設部７ｂの全長に設ける必要はなく、図４（ｂ）のように、埋設部７ｂの下端側（差込み開始側）にのみ設けることもできる。
【００１４】
螺旋翼８は一連ではなく螺旋方向に断続するものであってもよい。また、地中Ｅに挿し込み易い形状、構造であれば他の形状、構造であってもよく、例えば、数枚の円盤を埋設部７ｂの軸方向に断続的に設けたもの等であってもよい。
【００１５】
前記基礎杭１は埋設部７ｂから取付け部７ａまで樹脂層９（図５）で被覆されている。樹脂層９は螺旋翼８の外側から被覆してある。樹脂層９の樹脂には、土壌汚染に無害な樹脂、例えば、塩化ビニール、ポリエチレン、ポリカーボネート、ＦＲＰ、その他の合成樹脂を使用することができる。埋設部７ｂの外周を樹脂層９で被覆するには、埋設部７ｂを樹脂成型用の金型にセットしてから、その金型内における埋設部７ｂの外周に樹脂を流し込んで被覆することもできる。
【００１６】
前記取付け部７ａには、パネル架台２との連結を容易にするフランジ１０（図６（ａ）〜（ｃ））を設けることもできる。フランジ１０は例えば、図６（ａ）に示すような円板（円盤）或いは図６（ｂ）に示すような角板（角盤）を用いることができる。フランジ１０はこれら以外の形状であってもよく、不要な場合には設けなくてもよい。
【００１７】
基礎杭１の上には複数本のフレーム材Ｆ（図１）が組み立てられてパネル架台２（図１）が構成され、このパネル架台２の上に太陽光発電パネル３を設置できるようにしてある。パネル架台２の上端には角度自動調節機構を設けて、その上に設置する太陽光パネル３の傾斜角を調節できるようにしてもよい。太陽光パネル３が太陽光を効率良く受光できる適切な角度は、季節や設置する場所等によって異なるため、角度自動調節機構で太陽の位置に合わせて自動的に角度調節できるようにしておくのが望ましい。角度自動調節機構は太陽光パネル３の角度調節可能な首振り機能やパネル架台２を構成するフレーム材Ｆの長さ調節機能等とすることができる。フレーム材Ｆには鋼材製、樹脂製（ＦＲＰを含む）のパイプや棒を用いることができる。
【００１８】
（実施形態２）
本発明の基礎杭１は、図６（ｃ）に示すように取付け部７ａと埋設部７ｂを別々に成形し、取付け部７ａを金属製とし、埋設部７ｂを樹脂製とすることができる。埋設部７ｂの外周面には螺旋翼８を突設する。この螺旋翼８もその上端から下端まで連続する連続式であっても、上端から下端までの間の一部が断続するものであってもよい。実施形態１と同様、埋設部７ｂの外周面に設ける螺旋翼８は螺旋以外の形状であってもよい。埋設部７ｂを樹脂製とする場合、土壌汚染に無害な塩化ビニール、ポリエチレン、ポリカーボネート、ＦＲＰ、その他の合成樹脂を用いるのが望ましい。
【００１９】
図６（ｃ）に示すように、取付け部７ａと埋設部７ｂを別々に成形した場合は、埋設部７ｂを樹脂製にし、その埋設部７ｂの上端部を筒状の取付け部７ａの下端に挿し込んで連結固定することができる。連結固定は接着剤で行うことも他の連結構造、例えば、逆ネジ構造、その他の手段で行うこともできる。埋設部７ｂと取付け部７ａは一直線に連結する。取付け部７ａと埋設部７ｂは、基礎杭１を地中Ｅに埋設するときに空転しないように強固に連結固定する。
【００２０】
（使用例）
本発明の基礎杭１の使用例を、図面を参照して説明する。この使用例は、図５に示す基礎杭１を、図２に示すバックホー５を用いて埋設する場合の例である。
（１）図２のバックホー５のねじ込み装置４を、図５に示す基礎杭１に取り付ける。
（２）前記（１）の取付け状態でバックホー５を動作させて、基礎杭１を地中Ｅにねじ込む。基礎杭１は埋設部７ｂまで地中Ｅにねじ込み、取付け部７ａは地表面より上に突出させておく。
（３）前記基礎杭１の取付け部７ａにパネル架台２（図１）を取り付ける。パネル架台２の傾斜角度は、季節（太陽の角度）や設置する場所等に応じて調節する。
（４）前記（３）で設置したパネル架台２に太陽光パネル３（図１）を取り付け、太陽光発電設備の設置作業を完了する。
【産業上の利用可能性】
【００２１】
前記実施形態では、太陽光パネル３を設置する場合を一例として説明しているが、本発明の基礎杭１は、看板や照明器具等を設置する際の基礎杭として利用することもできる。
【符号の説明】
【００２２】
１    ねじ込み式基礎杭（基礎杭）
２    パネル架台
３    太陽光パネル
４    ねじ込み装置
５    バックホー
６    クレーン
７    基礎杭本体
７ａ  取付け部
７ｂ  埋設部
８    螺旋翼
９    樹脂層
１０  フランジ
Ｅ    地中
Ｆ    フレーム材
【図１】
2015059341.tif 000003
【図２】
2015059341.tif 000004
【図３】
2015059341.tif 000005
【図４】
2015059341.tif 000006
【図５】
2015059341.tif 000007
【図６】
2015059341.tif 000008